(57)【要約】      （修正有）【課題】ユーザーに冷風、熱風を当てると同時に、空気を浄化する光触媒乾燥機の構造を提供する。【解決手段】主に一つのケース本体２、一つの持ち手３、一つの発熱及び送風ユニット４、一つのスイッチ５及び一つの光触媒ユニット６で構成する光触媒乾燥機１の構造である。ケース本体２の内部に一つの発熱及び送風ユニット４及び一つの光触媒ユニット６を具有する。その中、発熱及び送風ユニット４は電源及びスイッチ５を電気接続し、ケース本体２の後端にある吸い込み口２２から入る気流を加熱し、ケース本体２の前端にある吹き出し口２１より外に向かって吹き出す。光触媒ユニット６は吸い込み口２２と発熱及び送風ユニット４の間に定位し、且つ光触媒ユニット６は電源及びスイッチ５と電気接続することで、光触媒ユニット６を通る気流内の物質を処理する。【選択図】図１
0003214920.tif 000002
【実用新案登録請求の範囲】
【請求項１】
一つのケース本体、一つの持ち手、一つの発熱及び送風ユニット、一つのスイッチ及び一つの光触媒ユニットを含み、
該ケース本体の内部に一つの発熱及び送風ユニットを具有し、該発熱及び送風ユニットは一つの電源及び一つのスイッチを電気接続し、該ケース本体の後端にある一つの吸い込み口から入る気流を加熱し、該ケース本体の前端にある一つの吹き出し口より外に向かって吹き出し、その改良の特徴は：
一つの光触媒ユニットは該吸い込み口と該発熱及び送風ユニットの間に定位し、且つ該光触媒ユニットは該電源及び該スイッチと電気接続することで、該光触媒ユニットを通る該気流内の物質を処理することを特徴とする光触媒乾燥機の構造。
【請求項２】
前記該発熱及び送風ユニットに含まれるのは一つの発熱ユニット及び一つの送風ユニットであり、該送風ユニットは該発熱ユニットの後端に位置し、該発熱ユニットによって発生する熱気を、該吹き出し口から外に向かって吹き出すことを特徴とする請求項１記載の光触媒乾燥機の構造。
【請求項３】
前記該光触媒ユニットは光触媒を具有する一つの網、及び該光触媒を触媒できる一つの発光ユニットを含むことを特徴とする請求項１或いは請求項２記載の光触媒乾燥機の構造。
【請求項４】
前記該網は該発光ユニット及び該吸い込み口の間に位置し、該発光ユニットは該網と該発熱及び送風ユニットの間に定位することを特徴とする請求項３記載の光触媒乾燥機の構造。
【請求項５】
前記該光触媒ユニット、該発熱及び送風ユニット、該電源及び該スイッチは電気接続の状態を呈すことを特徴とする請求項１記載の光触媒乾燥機の構造。
【考案の詳細な説明】
【技術分野】
【０００１】
本考案は一種の光触媒乾燥機の構造に関し、特に光触媒ユニットを具有して空気を浄化し、空気加熱機或いはドライヤーに適用する光触媒乾燥機の構造に関する。
【背景技術】
【０００２】
一般的に家庭にある浴室の多くは、湿度が高く、ばい菌が生えやすい環境である。トイレも浴室内に設置しているため、浴室内の空気の汚染の原因になりやすく、長い目で見ると、人体に不良な影響を与えやすい。ユーザーが洗髪したあとに髪の毛を乾かすのに便利なように、ドライヤーを浴室内に放置している人が多い。しかし、乾かすと同時にマイナスイオンを発生して空気を浄化する一部の機種を除き、殆どの製品は熱風或いは冷風の機能のみを具有しているため、上述の浴室にて発生しやすい問題を有効的に解決することができないことを鑑みて、更なる改善が必要であった。
【先行技術文献】
【特許文献】
【０００３】
【特許文献１】特開2006-68187号公報
【考案の概要】
【考案が解決しようとする課題】
【０００４】
前記公知構造の従来のドライヤーが浴室で発生しやすいばい菌及び空気汚染に対応できない問題に対し、本考案は有効的に空気を浄化することができ、浴室内にて消臭、殺菌、抗菌などの機能を具有し、人体に良くない影響を与えるのを防止できる光触媒乾燥機を提供することを主な課題とする。
【課題を解決するための手段】
【０００５】
前記課題を解決するために、本考案は光触媒乾燥機の構造を提供するものである。本考案の光触媒乾燥機は一つのケース本体を具有し、ケース本体の内部に一つの発熱及び送風ユニットを具有する。発熱及び送風ユニットは一つの電源及び一つのスイッチを電気接続し、ケース本体の後端にある一つの吸い込み口から入る気流を加熱し、ケース本体の前端にある一つの吹き出し口より外に向かって吹き出す。その主な技術特徴は：一つの光触媒ユニットは吸い込み口と発熱及び送風ユニットの間に定位し、且つ光触媒ユニットは電源及びスイッチと電気接続することで、光触媒ユニットを通る気流内の物質を処理する。
【０００６】
実施する際、該発熱及び送風ユニットは一つの発熱ユニット及び一つの送風ユニットを含み、送風ユニットは発熱ユニットの後端に位置し、発熱ユニットによって生じる熱気を、吹き出し口より外に吹き出す役割を持つ。
【０００７】
実施する際、該光触媒ユニットは光触媒を具有する一つの網、及び光触媒を触媒できる一つの発光ユニットを含む。
【０００８】
実施する際、該網は発光ユニット及び吸い込み口の間に位置し、発光ユニットは網と発熱及び送風ユニットの間に定位する。
【０００９】
実施する際、該発光ユニットは紫外線ランプとする。
【００１０】
実施する際、該光触媒ユニット、発熱及び送風ユニット、電源及びスイッチは電気接続の状態を呈す。
【考案の効果】
【００１１】
本考案の構造により、光触媒ユニットを吸い込み口と発熱及び送風ユニットの間に定位し、且つ光触媒ユニットは電源及びスイッチと電気接続することで、光触媒ユニットを通る気流内の物質を処理する。よって、ユーザーに冷風、熱風を当てると同時に、空気を浄化、マイナス酸素イオンの発生及び消臭の効果に達する。
【図面の簡単な説明】
【００１２】
【図１】本考案の最良実施例の組合せ断面図である。
【図２】本考案の最良実施例の網の立体外観略図である。
【図３】本考案の最良実施例の使用状態図である。
【考案を実施するための形態】
【００１３】
以下、本考案の構造と特徴および効果を、最良実施例と図面を参照しながら詳細に説明する。
【実施例】
【００１４】
図１及び図２に示すのは、本考案の光触媒乾燥機１の最良実施例である。該光触媒乾燥機１は一つのドライヤーである。実施する際、該光触媒乾燥機１はまた他の形式の空気加熱機とすることもできる。該ドライヤーに含まれるのは一つのケース本体２、一つの持ち手３、一つの発熱及び送風ユニット４、一つのスイッチ５及び一つの光触媒ユニット６である。その中、ケース本体２及び持ち手３はややＬ字型を呈し、ケース本体２はやや長いタル型を呈す。該前後両端にはそれぞれ一つの吹き出し口２１及び一つの吸い込み口２２を形成する。発熱及び送風ユニット４はスイッチ５及び一つの外付け電源と電気接続し、且つ発熱及び送風ユニット４は一つの発熱ユニット４１及び一つの送風ユニット４２を含む。発熱ユニット４１は一つの絶縁支持枠及び絶縁支持枠と連結する少なくとも一本の電熱線を具有し、送風ユニット４２は一つのモーターによって起動する送風機である。
【００１５】
該光触媒ユニット６に含まれるのは一つの網６１及び一つの発光ユニット６２である。その中、網６１は発光ユニット６２と吸い込み口２２の間に定位し、発光ユニット６２は網６１と送風ユニット４２の間に定位する。実施する際、網６１はまた発光ユニット６２及び送風ユニット４２の間に定位することができ、発光ユニット６２を網６１及び吸い込み口２２の間に定位する。また、該網６１は多くのリブ６１１によって形成する多くの穴及び、多くのリブ６１１の表面に結合する光触媒６１２を具有する。該発光ユニット６２の最良は紫外線ランプであり、発光ユニット６２、発熱及び送風ユニット４、スイッチ５及び外付け電源は電気接続の状態を呈す。
【００１６】
図３に示すように、ユーザーがスイッチ５を入れることで、発熱ユニット４１は通電発熱するとき、送風ユニット４２の運転により、ケース本体２後方にある空気が吸い込み口２２を通過して、ケース本体２前方の方向に向かって流れると同時に、発熱ユニット４１によって生じる熱気をケース本体２の前方にある吹き出し口２１より外に吹き出す。発光ユニット６２は通電すると同時に、発する紫外線により網６１にある光触媒を触媒した後、網６１にある多くの穴を通過する気流内の物質を処理することができ、よって空気浄化、マイナス酸素イオンの発生及び消臭の効果に達する。
【００１７】
本考案の構造により、ユーザーが冷風、熱風を当てると同時に、有効的に環境及び空気を浄化する光触媒乾燥機である。以上の最良実施例による本考案の詳細な説明は本考案の範囲を制限するものではない。本技術に熟知する者が、本考案の範囲内にて変更や調整を行っても、本考案の重要な意義は失われず、本考案の範囲に含まれる。
【符号の説明】
【００１８】
１  光触媒乾燥機
２  ケース本体
２１  吹き出し口
２２  吸い込み口
３  持ち手
４  発熱及び送風ユニット
４１  発熱ユニット
４２  送風ユニット
５  スイッチ 
６  光触媒ユニット
６１  網
６１１  リブ 
６２  発光ユニット
６１２  光触媒
【図１】
0003214920.tif 000003
【図２】
0003214920.tif 000004
【図３】
0003214920.tif 000005